(57)【要約】【課題】ＬＥＤランプを用いた装着型光電飾装置において、装着者の動きに即応した電飾映像を自動的に選択、生成表示することにより装着型光電飾装置の電飾効果を高める。【解決手段】装着型光電飾装置に装着者の動きを検知するモーション・センサを装備し、その出力により、各ＬＥＤランプに対して予め複数個の電飾映像を記憶させているROMより、電飾映像を自動的に選択させる、あるいは選択した電飾映像を基に新たな電飾映像を生成する。 【選択図】 図１
2007193062.tif 000002
【特許請求の範囲】
【請求項１】
LEDランプと、動きあるいは位置を検出し電気信号に変換するモーション・センサとを備え、モーション・センサの電気出力を受けてＬＥＤランプの点灯制御を行うことを特徴とする装着型光電飾装置。
【請求項２】
各LEDランプのフレーム周期毎の輝度を制御する輝度データを収納するROMを備えていることを特徴とする「請求項１」の装着型光電飾装置。
【請求項３】
ROMには、各ＬＥＤランプに対して複数個の異なる輝度データが収納され、「請求項１」記載のモーション・センサの電気出力を受けて、それらの中から１つを選択し、選択された輝度データに対応するLEDランプの輝度制御を行うことを特徴とする「請求項２」の装着型光電飾装置。
【請求項４】
動きにより異なった音を発する装着型楽器と一体化されたことを特徴とする「請求項１」、「請求項２」、「請求項３」の装着型電飾装置。
【請求項５】
位置あるいは動きを検出し電気信号に変換するモーション・センサにより音色が制御される電子楽器と一体化されていることを特徴とする「請求項１」、「請求項２」、「請求項３」の装着型光電飾装置。
【発明の詳細な説明】
【技術分野】
【０００１】
本発明は、舞台、マスゲーム、イベント会場等で、踊り手、あるいは観客が身に装着する、あるいは手に握り保持することを前提に設計されたＬＥＤランプによる光電飾装置に関する。この光電飾装置はモーション・センサを備え、体の動きに即応した効果的な光電飾映像を自動的に創出・表示することを特徴とする。
【背景技術】
【０００２】
LEDランプをひも状に連ねていわゆるルミチューブは立木にからませる、あるいは様々な形状に成形することにより光電飾装置として広く普及している。また近年、コンサート等のイベントの舞台においても、固定された舞台装置としての電飾装置以外にも、歌手等登場人物がLEDランプを、ビーズ、スパンコールと同様、冠、衣服等に装着させた舞台衣装の装飾効果を高めるための装着型光電飾装置も出現しつつある。しかしながら、これら従来の装着型光電飾装置の各ＬＥＤは一定時間、特定の発光色で点灯、もしくは点滅させるだけのものである。
【０００３】
これら従来の光電飾に対して、例えば連珠状ＬＥＤモジュール（特許文献１）を用いることにより、個々のLEDランプを予めＲＯＭ等に記憶された輝度データ（以下電飾映像と呼ぶ）を読み出し輝度制御することで、より高度で、より効果的な装着型光電飾装置を実現することができる。
【特許文献１】特開２００４−０７０１７９号公報
【発明の開示】
【発明が解決しようとする課題】
【０００４】
上記逓倍スロット方式による装着型光電飾装置等、ＲＯＭ内蔵型装着型光電飾装置では、固定的な電飾映像を表示するだけでなく、表示される電飾映像を舞台での様々なシーン、あるいは装着者の様々な動きに即応して変化させるとより大きな電飾効果を得ることができる。
【０００５】
このように、表示させる電飾映像を多様化することは、複数個の異なる電飾映像を予めＲＯＭに記憶させ、身振り、あるいは音楽等にあわせて装着者が装着型光電飾装置に備えられた操作キーを操作して選択表示させることでも実現できる。（特許文献２）。
【０００６】
しかしながらＲＯＭに予め多くの数の電飾映像を記憶する方式では、その数が多くなるに従って、ＲＯＭの容量が増加することと装着者の選択操作の複雑さがネックとなってくる。また様々なシーンに即応する電飾映像を予め用意し、ＲＯＭに記憶させておくことは多大な作業とコストを必要とする。
【課題を解決するための手段】
【０００７】
本発明はカスタネット、鈴、タンバリン等の装着型楽器類が、単純な構造であるにもかかわらず、踊り手の動きに即応したバラエティ豊かな音楽を奏でるのと同様、装着型光電飾装置内に加速度センサ等の装置の動きを検出する仕組みを組み込み、その出力を受けて電飾映像を自動選択する、あるいは新しい電飾映像を自動生成させることにより、単純な機構と簡単な操作でより高い装飾効果を創出する装着型光電飾装置を実現するものである。
【特許文献２】特開２００３−２０３０９９号公報
【発明を実施するための最良の形態】
【０００８】
以下実施例について説明する。  
【実施例】
【０００９】
「 図１」はＬＥＤランプ(1a)を三角形状に配し、踊り手は下から突き出した握り手（1b）を持って踊る装着型光電飾装置の例である。握り手(1b)内には、本装置で必要となる電子部品・・・電池、モーション・センサ、ROM、制御回路・・・が収納されている。
【００１０】
「図２」は本装置のシステム図である。まず、ROM（2b）には表示部（2e）の各ＬＥＤランプがランダムに点滅するよう、各ＬＥＤランプに対するフレーム周期毎の点灯、非点灯情報が各フレームに対応する１ビットのデータとして収納されている
【００１１】
「図３」は１つのＬＥＤランプに対応するこのビットデータを例示したものである。横軸にはフレーム周期を単位とする時間軸を、縦軸には各フレームでの点灯状況、即ち各フレームに対応するビットデータが「１」のときはそのフレームにおいて点灯、「０」のときは非点灯となることを表し、かつ、点灯時間幅Ｔ０，Ｔ１，Ｔ２・・・、非点灯時間幅Ｗ０，Ｗ１，Ｗ２・・・はランダムとなる（一定時間幅内で一様に分布する）よう設定されている。
【００１２】
図２の（2a）モーション・センサである。モーション・センサ(2a)としては、地磁気の変化を検出する磁気センサタイプ、特定部材に加わる歪みを検出する加速度センサタイプなどが小型、安価なセンサとして知られている（非特許文献１）。
【００１３】
本実施例におけるモーション・センサ(2a)は一定の大きさ以上の加速度を検知し、その大きさをディジタル出力するよう設計されている。 このモーション・センサのディジタル出力(2f)をトリガとして、ＲＯＭに収納されている各ＬＥＤランプへのビットデータ（2g）の読み出しが始まる一方、読み出されたビットデータ(2g)は、掛け算回路(2c)によりディジタル出力(2f）の（検出された加速度の）大きさに比例するフレーム輝度データ（2h）に変換される。
【００１４】
そして、各ＬＥＤランプは、フレーム周期毎にそのＬＥＤランプに対応するフレーム輝度データ(2h)により逓倍スロット方式輝度制御回路(2d)により点灯制御される。すなわち、各フレーム周期内に設けられた輝度データの各ビットに対応するサブフレーム内において、サブフレームデータ(2i)により点灯、非点灯が制御されることにより、フレーム輝度データ(2h)に比例した視覚的明るさで点灯制御される。
【００１５】
また、モーション・センサ(2a）で検出された加速度の大きさは、上記の点灯制御動作時間の継続時間幅の制御にも用いられる。即ちモーション・センサのディジタル出力(2f)をトリガとして始まる点滅動作の時間幅も加速度の大きさ即ちモーション・センサ(2a)のディジタル出力（2f)の大きさに比例するよう制御される。
【００１６】
このようにしてモーション・センサが一定以上の加速度を検知することにより出力されるディジタル出力は、ＲＯＭ内のビットデータ読み出しのトリガとなると同時に、ビットデータより輝度データへの変換倍率と、読み出し開始から終了までの時間幅を決定する。
【００１７】
以上の仕組みにより、本実施例による装着型光電飾装置は、より強く振ればより強い光でより長く点滅が続くという、装着者の動きに即応した優れた電飾効果を創出することができる。 
【００１８】
以上述べた実施例以外に次のような仕組みを取り入れても良い。
（１）基本輝度信号はＲＯＭ内に収納されるビットデータではなくランダムビットデータ発生回路等の電子回路を用いる。
（２）モーション・センサとしては以上述べた加速度センサ以外に、動きの方向、回転を検知する、あるいはＧＰＳ等により位置そのものを検出するタイプのセンサを用いる。
（３）モーション・センサ以外に操作キーを備え、例えばその操作により発光色を変える等、モーション・センサ出力と操作キー出力の組み合わせにより表示すべき電飾映像を変化させる。
（４）モーション・センサを備えた装着型光電飾装置と鈴、カスタネット等、動きにより音を発する楽器と組み合わせ、動きに即応した音と光を発する。
（５）モーション・センサを備えた装着型光電飾装置とモーション・センサにより制御（音の発生のタイミング、音色、大きさ等）される電子的手段による音楽発生器を組み合わせ、動きに即応した音と光を同時に発する。
【００１９】
また、人間が装着する以外に；
（１）動物の首輪等、動物の体に装着する、
（２）自転車、子供用３輪車の車輪、ブランコ等の遊技器具など動く機械器具に装着する、
（３）風車、風鈴、水車、灯籠流しの灯籠等、風、水流、波を利用して動く機械、器具、装飾物に装着する、
ことにより同様な光電飾効果を発揮することができる。
【非特許文献１】磁気センサで加速度を検出、「振って操作」の携帯に応用、                  日経エレクトロニクス２００５．８．１、ｐ１０５〜ｐ１０９
【図面の簡単な説明】
【００２０】
【図１】装着型光電飾装置の一例である。
【図２】装着型光電飾装置のシステム図である。
【図３】装着型光電飾装置ＲＯＭ内に収納されるビットデータを例示している。
【符号の説明】
【００２１】
1a・・・ＬＥＤランプ
1b・・・握り手
2a・・・モーション・センサ
2b・・・ＲＯＭ
2c・・・掛け算回路
2d・・・逓倍スロット方式輝度制御回路
2e・・・表示部
2f・・・モーション・センサディジタル出力
2g・・・ビットデータ
2h・・・フレーム輝度データ
2i・・・サブフレームデータ
【図１】
2007193062.tif 000003
【図２】
2007193062.tif 000004
【図３】
2007193062.tif 000005